(57)【要約】      （修正有）【課題】冷却された硬いバターを塗り広げやすい形状で切り出すことができるバターナイフを提供する。【解決手段】バターを塗るためのへら部を有するバターナイフ１において、へら部の先端部に、バター１２を削り取る波形状の刃部８と、この刃部によって削り取られたバターを筋状１２ａに導出する複数の開口部９とを設ける。へら部の先端部寄りに屈曲部を設けて、この屈曲部の内側に、刃部によって削り取られたバターの一部を溜める溜り部を形成するのが好ましい。また、各開口部は、バターの導出方向に進むにつれて径が縮まるテーパ孔状とするのがよい。【選択図】図３
0003185176.tif 000002
【実用新案登録請求の範囲】
【請求項１】
バターを塗るためのへら部を有するバターナイフにおいて、
前記へら部の先端部に、バターを削り取る刃部と、この刃部によって削り取られたバターを筋状に導出する複数の開口部とを設けることを特徴とするバターナイフ。
【請求項２】
前記へら部の先端部寄りに屈曲部が設けられ、この屈曲部内側に、前記刃部によって削り取られたバターの一部を溜める溜り部が形成される請求項１に記載のバターナイフ。
【請求項３】
前記刃部は、波形状である請求項１または２に記載のバターナイフ。
【請求項４】
前記開口部は、バターの導出方向に進むにつれて径が縮まるテーパ孔状である請求項１〜３のいずれかに記載のバターナイフ。
【考案の詳細な説明】
【技術分野】
【０００１】
本考案は、バターをパン等に塗るのに用いられて好適なバターナイフに関するものである。
【背景技術】
【０００２】
従来、パン等にバターを塗る場合、冷蔵庫で冷却されて硬くなったバターの塊から、バターナイフのへら部分で必要量を切り取り、パンの上に置き、へら部分を使って平らに延ばすようにしている。
【０００３】
上記のバターナイフでは、冷蔵庫で冷却されて硬くなったバターを容易に薄く切り取ることができないため、パンの上で容易に溶けにくく、パンの全面に平均的にバターを塗り広げることが難しいという欠点がある。
【０００４】
このような欠点を解消し得るバターナイフが特許文献１にて提案されている。
【先行技術文献】
【特許文献】
【０００５】
【特許文献１】特開２００４−１２１７７３号公報
【０００６】
この特許文献１に係るバターナイフは、へら部分に刃部、開口部および刃台部を設けてなり、刃台部をバターの水平面に平行にあてがって圧着させながら前方に動かすことにより、刃台部の平らな面から少しだけバターに入り込んだ刃部でバターを薄く帯状に連続して開口部を通過させて鉋のように削り取ることができるように構成されている。
このバターナイフによれば、冷蔵庫で冷却されて硬くなったバターでも薄く切り出すことができるので、パンにバターを塗り広げる作業が楽になるという効果がある。
【０００７】
しかしながら、上記特許文献１のバターナイフでは、切り出したバターが帯状であるため、切り出したバターを更に細かく切らなければバターをパンに塗り広げることが難しいという問題点がある。
【考案の概要】
【考案が解決しようとする課題】
【０００８】
本考案は、前述のような問題点に鑑みてなされたもので、バターをより塗り広げやすい形状で切り出すことができるバターナイフを提供することを目的とするものである。
【課題を解決するための手段】
【０００９】
前記目的を達成するために、本考案によるバターナイフは、
バターを塗るためのへら部を有するバターナイフにおいて、
前記へら部の先端部に、バターを削り取る刃部と、この刃部によって削り取られたバターを筋状に導出する複数の開口部とを設けることを特徴とするものである（第１考案）。
【００１０】
本考案において、前記へら部の先端部寄りに屈曲部が設けられ、この屈曲部内側に、前記刃部によって削り取られたバターの一部を溜める溜り部が形成されるのが好ましい（第２考案）。
【００１１】
本考案において、前記刃部は、波形状であるのが好ましい（第３考案）。
【００１２】
本考案において、前記開口部は、バターの導出方向に進むにつれて径が縮まるテーパ孔状であるのが好ましい（第４考案）。
【考案の効果】
【００１３】
第１考案のバターナイフによれば、へら部の先端部の刃部によって削り取られたバターが複数の開口部を通して筋状に導出されるので、バターをより塗り広げやすい形状で切り出すことができる。したがって、切り出したバターを更に細かく切る必要がなく、切り出したバターをパンに容易に塗り広げることができる。
【００１４】
第２考案のバターナイフによれば、刃部によって削り取られたバターの一部が溜り部に溜められ、この溜り部に溜まったバターをそのままパン等に塗ることができるので、より効率良くバターをパン等に塗ることができる。
【００１５】
第３考案のバターナイフによれば、刃部が波形状とされるので、刃部をバターにより深く食い込ませることができ、バターをより効率良く削り取ることができる。
【００１６】
第４考案のバターナイフによれば、開口部が、バターの導出方向に進むにつれて径が縮まるテーパ孔状とされるので、刃部で削り取ったバターを開口部の大径側で確実に取り込むことができるとともに、取り込んだバターを開口部の小径側からより細く筋状に絞り出すことができる。
【図面の簡単な説明】
【００１７】
【図１】本考案の一実施形態に係るバターナイフの外観斜視図である。
【図２】（ａ）は図１のＡ矢視図で、（ｂ）は（ａ）のＢ−Ｂ線断面図である。
【図３】本実施形態のバターナイフの使用方法の説明図で、開口部からバターが筋状に切り出された状態の斜視図である。
【考案を実施するための形態】
【００１８】
次に、本考案によるバターナイフの具体的な実施の形態について、図面を参照しつつ説明する。
【００１９】
＜バターナイフの概略説明＞
図１に示されるバターナイフ１は、人の手指で握ることができる柄部２の先端側にへら部３を一体的に設けてなり、このへら部３でパン等にバターを塗ることができるように構成されている。
【００２０】
＜へら部の説明＞
へら部３は、その本体部分を構成するへら部本体４を備え、このへら部本体４の先端側に屈曲部５を介して掻き取り部６をへら部本体４に対し所定角度θ（例えば、１２０°〜１５０°程度）を成して連設するとともに、へら部本体４の左側部側に左方に向けて円弧状に膨出する掬い部７を一体的に設けて構成されている。
【００２１】
＜掻き取り部の刃部の説明＞
掻き取り部６の先端部には、バターを削り取る刃部８が設けられている。
図２（ａ）に示されるように、刃部８は、丸みのある複数（本例では４つ）の山部８ａと、隣り合う山部８ａの間に配される谷部８ｂとを有する波形状のもので、より深くバターに食い込ませてバターをより効率良く削り取ることができるようになっている。
【００２２】
＜開口部の説明＞
掻き取り部６の先端部には、複数（本例では４つ）の丸孔状の開口部９が穿設されている。各開口部９は、刃部８の各山部８ａに対応するように配設されている。
なお、開口部９の孔形状は、丸形に限定されるものではなく、楕円形や、角丸四角形、スリット形などであってもよい。また、本実施形態において、開口部９は、その周縁が完全に閉鎖されたような形状とされているが、開口部９の周縁の一部が開放されたような形状としてもよい。
【００２３】
図２（ｂ）に示されるように、各開口部９は、バターの導出方向Ｆに進むにつれて径が縮まるテーパ孔状とされている。これにより、刃部８で削り取ったバターを開口部９の大径孔９ａ側で確実に取り込むことができるとともに、取り込んだバターを絞って開口部９の小径孔９ｂ側からより細く筋状に切り出すことができる。
【００２４】
＜溜り部の説明＞
図２（ａ）に示されるように、へら部３の先端部寄りに設けられる屈曲部５の内側には、刃部８によって削り取られたバターの一部を溜める溜り部１０が形成されており、刃部８によって削り取られたバターの一部を溜り部１０に溜めることができるようになっている。これにより、溜り部１０に溜まったバターをそのままパン等に塗ることができるので、より効率良くバターをパン等に塗ることができる。
【００２５】
＜掬い部の刃部の説明＞
図１に示されるように、掬い部７の外周縁には、表裏それぞれにおいて先端側に向かい傾斜する表裏一対のテーパ面によって刃部１１が形成され、この刃部１１により、バターの塊から必要量のバターを切り取ることができるようになっている。
【００２６】
＜作用効果の説明＞
以上に述べたように構成されるバターナイフ１の使用方法は、以下の通りである。
すなわち、図３に示されるように、刃部８をバター１２の上面に斜めにあてがい、圧着させながら後方に動かすと、刃部８によって削り取られたバター１２の一部が開口部９を通して前方に連続的に導出され、これによってバター１２が筋状に切り出される。
こうして、筋状に切り出された筋状バター１２ａは、掬い部７で掬い取られて図示されないパン等の上に置かれ、へら部本体４や掬い部７で平らに延ばされ、パン等の全面に平均的に塗り広げられる。
【００２７】
本実施形態のバターナイフ１によれば、刃部８によって削り取られたバターが複数の開口部９を通して筋状に導出されるので、バターをより塗り広げやすい形状で切り出すことができる。したがって、切り出したバターを更に細かく切る必要がなく、切り出したバターをパンに容易に塗り広げることができる。
【００２８】
以上、本考案のバターナイフについて、一実施形態に基づいて説明したが、本考案は上記実施形態に記載した構成に限定されるものではなく、その趣旨を逸脱しない範囲において適宜その構成を変更することができるものである。
【産業上の利用可能性】
【００２９】
本考案のバターナイフは、バターをより塗り広げやすい形状で切り出すことができるという特性を有していることから、冷蔵庫で冷却されて硬くなったバターの塊からパン等に塗り広げるバターを切り出す用途に好適に用いることができる。
【符号の説明】
【００３０】
１    バターナイフ
２    柄部
３    へら部
４    へら部本体
５    屈曲部
６    掻き取り部
７    掬い部
８    刃部
９    開口部
１０  溜り部
【図１】
0003185176.tif 000003
【図２】
0003185176.tif 000004
【図３】
0003185176.tif 000005